(57)【要約】【課題】移動枠の摩擦によって発生する静電気を防止するとともに、移動筒のスムーズで安定した移動を可能とする。【解決手段】撮影光学系を構成するレンズを保持するレンズ枠及び撮影にまつわる動作を行う動作部を有し、前記撮影光学系の光軸方向に移動可能に配設され、鏡筒本体に対して出没可能な沈胴式の鏡筒を構成する移動筒と、前記鏡筒本体に設けられ、沈胴時に少なくとも一つの前記移動筒と当接する導電性のバネ部材とを有し、前記バネ部材の一端が接地電位に接続されるとともに、前記バネ部材の他端が少なくとも一つの前記移動筒をその移動方向に対して略垂直な方向に付勢することを特徴とするレンズ鏡筒を提供することにより前記課題を解決する。【選択図】図５
2007316232.tif 000002
【特許請求の範囲】
【請求項１】
撮影光学系を構成するレンズを保持するレンズ枠及び撮影にまつわる動作を行う動作部を有し、前記撮影光学系の光軸方向に移動可能に配設され、鏡筒本体に対して出没可能な沈胴式の鏡筒を構成する移動筒と、
前記鏡筒本体に設けられ、沈胴時に少なくとも一つの前記移動筒と当接する導電性のバネ部材と、
を有し、前記バネ部材の一端が接地電位に接続されるとともに、前記バネ部材の他端が少なくとも一つの前記移動筒をその移動方向に対して略垂直な方向に付勢することを特徴とするレンズ鏡筒。
【請求項２】
撮影光学系を構成するレンズを保持するレンズ枠及び撮影にまつわる動作を行う動作部を有し、前記撮影光学系の光軸方向に移動可能に配設され、鏡筒本体に対して出没可能な沈胴式の鏡筒を構成する移動筒と、
前記鏡筒内に配置され、その一端が前記動作部に接続されるとともに他端が接地電位に接続され、前記動作部に制御信号を供給するフレキシブル基板と、
を有し、前記フレキシブル基板は、少なくともその一面に導電材料が塗布されており、該導電材料が塗布された面に常に前記移動筒が当接していることを特徴とするレンズ鏡筒。
【請求項３】
請求項１または２に記載のレンズ鏡筒を備えたことを特徴とする撮像装置。
【発明の詳細な説明】
【技術分野】
【０００１】
本発明は、レンズ鏡筒及び撮像装置に係り、特に、沈胴やズーミングが可能な移動レンズ群を備えたレンズ鏡筒及び撮像装置に関する。
【背景技術】
【０００２】
従来より、ピント合わせを自動で行うオートフォーカスカメラが知られており、様々な方法で合焦位置を検出し、合焦位置にレンズを移動して撮影が行われている。このような移動レンズ群を有することで沈胴やズーミングが可能なレンズユニットは、レンズ群の移動によって静電気を発生させ、この静電気によって外部の塵埃がレンズ鏡筒の内部に吸引されることがある。静電気によってレンズ鏡筒内部に吸引された塵埃が撮像素子に付着すると画像への写り込みを生じるという問題があり、従来からこれに対する様々な対策が提案されている。
【０００３】
例えば、撮像素子に近接する部材を帯電防止材料で形成したり、帯電防止コーティングしたりすることにより、撮像素子に近接する部材が静電気を蓄積しないようにして、鏡筒内部に侵入した塵埃が被写体から撮像素子に至る結像光路上で撮像素子の近くに付着しないようにして、撮像中への塵埃の写り込みを防止するようにしたカメラユニットが知られている（例えば、特許文献１等参照）。
【０００４】
また、鏡筒外部の電気回路から撮影にまつわった動作を行う動作部に制御信号を供給するよう鏡筒内部に設けられたフレキシブル基板の一端を沈胴式鏡筒のレンズ枠上に接続するとともに他端を接地電位に電気的に接続することにより、静電気によって発生する電流による悪影響を効果的に防止するようにしたものが知られている（例えば、特許文献２等参照）。
【特許文献１】特開２００５−３００９５７号公報
【特許文献２】特開２００５−３０１１５８号公報
【発明の開示】
【発明が解決しようとする課題】
【０００５】
しかしながら、上記特許文献１に記載されたものでは、例えば多段沈胴式鏡筒などで帯電防止を必要とする部材が多い場合には、これらすべての部材に対して帯電防止処理を施さなければならず、コストアップとなってしまうという問題がある。
【０００６】
また、上記特許文献２に記載されたものでは、可動する全ての外観部材（移動部材）に対する接地が不完全であるため、一部部品に電位が残ってしまい、この電位が撮像に悪影響を及ぼすという問題がある。
【０００７】
本発明は、このような事情に鑑みてなされたもので、沈胴やズーム動作等における移動枠の摩擦によって発生する静電気を防止するとともに、移動筒のスムーズで安定した移動を可能とするレンズ鏡筒及び撮像装置を提供することを目的とする。
【課題を解決するための手段】
【０００８】
前記目的を達成するために、請求項１に記載の発明は、撮影光学系を構成するレンズを保持するレンズ枠及び撮影にまつわる動作を行う動作部を有し、前記撮影光学系の光軸方向に移動可能に配設され、鏡筒本体に対して出没可能な沈胴式の鏡筒を構成する移動筒と、前記鏡筒本体に設けられ、沈胴時に少なくとも一つの前記移動筒と当接する導電性のバネ部材と、を有し、前記バネ部材の一端が接地電位に接続されるとともに、前記バネ部材の他端が少なくとも一つの前記移動筒をその移動方向に対して略垂直な方向に付勢することを特徴とするレンズ鏡筒を提供する。
【０００９】
これにより、移動筒の沈胴やズーム動作によって発生する静電気を逃がし、静電気による塵埃の鏡筒内への吸着を防止し、電気部品の静電破壊を防止するとともに、沈胴時における移動筒の移動ムラ（いわゆる先走り）を防止することが可能となる。
【００１０】
また、同様に前記目的を達成するために、請求項２に記載の発明は、撮影光学系を構成するレンズを保持するレンズ枠及び撮影にまつわる動作を行う動作部を有し、前記撮影光学系の光軸方向に移動可能に配設され、鏡筒本体に対して出没可能な沈胴式の鏡筒を構成する移動筒と、前記鏡筒内に配置され、その一端が前記動作部に接続されるとともに他端が接地電位に接続され、前記動作部に制御信号を供給するフレキシブル基板と、を有し、前記フレキシブル基板は、少なくともその一面に導電材料が塗布されており、該導電材料が塗布された面に常に前記移動筒が当接していることを特徴とするレンズ鏡筒を提供する。
【００１１】
これにより、レンズ鏡筒内の防塵を図るとともに電気部品の静電破壊を防止することができる。
【００１２】
また、同様に前記目的を達成するために、請求項３に記載の発明は、請求項１または２に記載のレンズ鏡筒を備えたことを特徴とする撮像装置を提供する。
【００１３】
これにより、防塵及び電気部品の静電破壊防止を図るとともに、沈胴時の移動筒の移動をスムーズにした撮像装置が得られる。
【発明の効果】
【００１４】
以上説明したように、本発明によれば、移動筒の沈胴やズーム動作によって発生する静電気を逃がし、静電気による塵埃の鏡筒内への吸着を防止し、電気部品の静電破壊を防止するとともに、沈胴時における移動筒の移動ムラ（いわゆる先走り）を防止することが可能となる。
【発明を実施するための最良の形態】
【００１５】
以下、添付図面を参照して、本発明に係るレンズ鏡筒及び撮像装置について詳細に説明する。
【００１６】
図１は、本発明の第１実施形態に係るレンズ鏡筒が搭載されたデジタルカメラ１０を正面側から見た斜視図であり、図２はデジタルカメラ１０を背面側から見た斜視図である。また、図３は、デジタルカメラ１０の全体構成を示したブロック図である。
【００１７】
図１、図２の如くデジタルカメラ１０は、カメラケース１２の前面の左側に前方に膨らんだグリップ部１４が形成され、グリップ部１４が位置するカメラケース１２の上面には撮影ボタン１６が配置されている。この撮影ボタン１６は、グリップ部１４を把持したユーザーの右手の人指し指によって操作可能な位置に設けられている。更に、カメラケース１２の前面の略中央部には、撮影レンズ１８を保持した沈胴／繰り出し式のレンズ鏡筒２０が前方に突出するように設けられている。更にまた、カメラケース１２の前面の右側上部には、キセノン管を有するストロボ発光部２２が設けられるとともに、カメラケース１２の背面には図２の如く液晶モニタ２４、モード選択スイッチ２６、十字キー２７等の各種スイッチ、及びファインダ２８がそれぞれ所定の位置に設けられている。
【００１８】
このデジタルカメラ１０は、モード選択スイッチ２６を操作することによって静止画撮影、動画撮影、連続撮影（連写）の撮影動作のうち一つの撮影動作が選択される。静止画撮影動作が選択されると、撮影ボタン１６の押圧操作によって被写体が１コマ毎撮影され、動画撮影動作が選択されると、撮影ボタン１６が押されている間、動画（Motion JPEG ）撮影が可能である。連続撮影動作が選択されると、撮影ボタン１６が押されている間、所定の時間間隔で所定の速さで連写し続け、撮影ボタン１６から指を上げた瞬間の直後の数コマまでを撮影することができる。
【００１９】
デジタルカメラ１０は、図３の如く中央処理装置（ＣＰＵ）３０によってその全体動作が統括制御されている。 ＣＰＵ３０は、所定のプログラムに従ってカメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００２０】
バス３２を介してＣＰＵ３０と接続されたＲＯＭ３４には、ＣＰＵ３０が実行するプログラム及び制御に必要な各種データ等が格納され、ＥＥＰＲＯＭ３６には、ＣＣＤ画素欠陥情報、カメラ動作に関する各種定数／情報等が格納されている。
【００２１】
また、メモリ（ＳＤＲＡＭ）３８は、プログラムの展開領域及びＣＰＵ３０の演算作業用領域として利用されるとともに、静止画及び動画の画像データや音声データの一時記憶領域として利用される。ＨＤＤ（ハードディスクドライブユニット）４０は画像データ専用の一時記憶メモリである。なお、メモリ３８とＨＤＤ４０は共用することが可能である。
【００２２】
モード選択スイッチ２６は、静止画撮影、動画撮影、連続撮影（連写）の撮影モードと再生モードとを切り替えるための操作手段である。モード選択スイッチ２６を操作して可動接片２６Ａを接点ａに接続させると、その信号がＣＰＵ３０に入力され、デジタルカメラ１０は撮影モードに設定される。また、可動接片２６Ａを接点ｂに接続させると、デジタルカメラ１０は記録済みの画像を再生する再生モードに設定される。
【００２３】
撮影ボタン１６は、撮影開始の指示を入力する操作ボタンであり、半押し時にオンになるＳ１スイッチと、全押し時にオンになるＳ２スイッチとを有する二段ストローク式のスイッチで構成されている。
【００２４】
メニュー／ＯＫキー（図２では図示省略）は、液晶モニタ２４の画面上にメニューを表示させる指令を行うためのメニューボタンとしての機能と、選択内容の確定及び実行などを指令するＯＫボタンとしての機能とを兼備した操作キーである。十字キー２７は、上下左右の４方向の指示を入力する操作部であり、メニュー画面から項目を選択したり、各メニューから各種設定項目の選択を指示したりするボタンとして機能する。この十字キー２７によって静止画撮影、動画撮影、連続撮影（連写）のうち一つの撮影動作が選択され、メニュー／ＯＫキーの押圧操作により選択した撮影動作が確定される。キャンセルキー（図２では図示省略）は、選択項目など所望の対象の消去や指示内容の取消し、あるいは一つ前の操作状態に戻す時などに使用される。
【００２５】
液晶モニタ２４は、ユーザインターフェース用表示画面としても利用され、必要に応じてメニュー情報や選択項目、設定内容などの情報が表示される。この液晶モニタ２４は液晶ディスプレイであるが、これに代えて、有機ＥＬなど他の方式の表示装置を用いることも可能である。
【００２６】
デジタルカメラ１０は、メディアソケット４６を有し、メディアソケット４６には記録メディア４８を装着することができる。記録メディアの形態は特に限定されず、スマートメディア（商標）に代表される半導体メモリカード、可搬型小型ハードディスク、磁気ディスク、光ディスク、光磁気ディスクなど、種々の媒体を用いることができる。
【００２７】
メディアコントローラ５０は、メディアソケット４６に装着される記録メディア４８に適した入出力信号の受渡しを行うために所要の信号変換を行う。
【００２８】
また、デジタルカメラ１０は、パソコンその他の外部機器と接続するための通信手段としてＵＳＢインターフェース部５２を備えている。ＵＳＢケーブルを用いてデジタルカメラ１０と外部機器を接続することにより、外部機器との間でデータの受渡しが可能となる。もちろん、通信方式はＵＳＢに限らず、その他の通信方式を適用してもよい。
【００２９】
次に、デジタルカメラ１０の撮影機能について説明する。
【００３０】
モード選択スイッチ２６によって撮影モードが選択されると、カラーＣＣＤ固体撮像素子（以下ＣＣＤと記載）５４を含む撮像部に電源が供給され、静止画、動画、又は連続撮影が可能な状態になる。この後、十字キー２７によって静止画撮影、動画撮影、連続撮影（連写）のうち一つの撮影動作を選択し、メニュー／ＯＫキーを押圧操作することにより選択した撮影動作を確定する。
【００３１】
レンズ鏡筒２０は、フォーカシングレンズを含む撮影レンズ１８と絞り兼用メカシャッター５６とを含む光学ユニットである。レンズ鏡筒２０は、ＣＰＵ３０によって制御されるレンズ駆動部５８、絞り駆動部６０によって電動駆動され、ズーム制御、フォーカス制御及びアイリス制御が行われる。
【００３２】
撮影レンズ１８を通過した光は、ＣＣＤ５４の受光面に結像される。ＣＣＤ５４の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造で配置されている。また、ＣＣＤ５４は、各フォトダイオードの電荷蓄積時間（シャッタースピード）を制御する電子シャッター機能を有している。ＣＰＵ３０は、タイミングジェネレータ６２を介してＣＣＤ５４での電荷蓄積時間を制御する。なお、ＣＣＤ５４に代えてＭＯＳ型など他の方式の撮像素子を用いてもよい。
【００３３】
ＣＣＤ５４の受光面に結像された被写体像は、各フォトダイオードによって入射光量に応じた量の信号電荷に変換される。各フォトダイオードに蓄積された信号電荷は、ＣＰＵ３０の指令に従いタイミングジェネレータ６２から与えられる駆動パルスに基づいて信号電荷に応じた電圧信号（画像信号）として順次読み出される。
【００３４】
ＣＣＤ５４から出力された信号はアナログ処理部（ＣＤＳ／ＡＭＰ）６４に送られ、ここで画素毎のＲ、Ｇ、Ｂ信号がサンプリングホールド（相関二重サンプリング処理）され、増幅された後、Ａ／Ｄ変換器６６に加えられる。Ａ／Ｄ変換器６６によってデジタル信号に変換された点順次のＲ、Ｇ、Ｂ信号は、画像入力コントローラ６８を介してメモリ３８に記憶される。
【００３５】
画像信号処理回路７０は、メモリ３８に記憶されたＲ、Ｇ、Ｂ信号をＣＰＵ３０の指令に従って処理する。すなわち、画像信号処理回路７０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３０からのコマンドに従ってメモリ３８を活用しながら所定の信号処理を行う。
【００３６】
画像信号処理回路７０に入力されたＲＧＢの画像データは、画像信号処理回路７０において輝度信号及び色差信号に変換されるとともに、ガンマ補正等の所定の処理が施される。画像信号処理回路７０で処理された画像データはＨＤＤ４０に記録される。
【００３７】
撮影画像を液晶モニタ２４にモニタ出力する場合、ＨＤＤ４０から画像データが読み出され、バス３２を介してビデオエンコーダ７２に送られる。ビデオエンコーダ７２は、入力された画像データを表示用の所定方式の信号（例えば、ＮＴＳＣ方式のカラー複合映像信号）に変換して液晶モニタ２４に出力する。
【００３８】
撮影ボタン１６が半押しされ、Ｓ１がオンになると、デジタルカメラ１０はＡＥ及びＡＦ処理を開始する。すなわち、ＣＣＤ５４から出力された画像信号はＡ／Ｄ変換後に画像入力コントローラ６８を介してＡＦ検出回路７４並びにＡＥ／ＡＷＢ検出回路７６に入力される。
【００３９】
ＡＥ／ＡＷＢ検出回路７６は、１画面を複数のエリア（例えば、１６×１６）に分割し、分割エリアごとにＲＧＢ信号を積算する回路を含み、その積算値をＣＰＵ３０に提供する。ＣＰＵ３０は、ＡＥ／ＡＷＢ検出回路７６から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３０はＣＣＤ５４の電子シャッター及びアイリスを制御して適正な露光量を得る。
【００４０】
また、ＡＥ／ＡＷＢ検出回路７６は、自動ホワイトバランス調整時には、分割エリアごとにＲＧＢ信号の色別の平均積算値を算出し、その算出結果をＣＰＵ３０に提供する。ＣＰＵ３０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１になるように、ホワイトバランス調整回路のＲ、Ｇ、Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００４１】
デジタルカメラ１０におけるＡＦ制御は、例えば映像信号のＧ信号の高周波成分が極大になるようにフォーカシングレンズ（撮影レンズ１８を構成するレンズ光学系のうちフォーカス調整に寄与する移動レンズ）を移動させるコントラストＡＦが適用される。すなわち、ＡＦ検出回路７４は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４２】
ＡＦ検出回路７４で求めた積算値のデータはＣＰＵ３０に通知される。ＣＰＵ３０は、レンズ駆動部５８を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部５８を制御する。なお、ＡＦ評価値の演算はＧ信号を利用する態様に限らず、輝度信号（Ｙ信号）を利用してもよい。
【００４３】
撮影ボタン１６が半押しされ、Ｓ１オンによってＡＥ／ＡＦ処理が行われ、撮影ボタン１６が全押しされ、Ｓ２オンによって記録用の撮影動作がスタートする。Ｓ２オンに応動して取得された画像データは画像信号処理回路７０において輝度／色差信号（Ｙ／Ｃ信号）に変換され、ガンマ補正等の所定の処理が施された後、メモリ３８に格納される。
【００４４】
メモリ３８に格納されたＹ／Ｃ信号は、圧縮伸張回路７８によって所定のフォーマットに従って圧縮された後、メディアコントローラ５０を介して記録メディア４８に記録される。例えば、画像についてはＪＰＥＧ形式で記録される。
【００４５】
モード選択スイッチ２６により再生モードが選択されると、記録メディア４８に記録されている最終の画像ファイル（最後に記録されたファイル）の圧縮データが読み出される。最後の記録に係るファイルが静止画ファイルの場合、この読み出された画像圧縮データは、圧縮伸張回路７８を介して非圧縮のＹＣ信号に伸張され、画像信号処理回路７０及びビデオエンコーダ７２を介して表示用の信号に変換された後、液晶モニタ２４に出力される。これにより、当該ファイルの画像内容が液晶モニタ２４の画面上に表示される。
【００４６】
静止画の一コマ再生中（動画の先頭フレーム再生中も含む）に、十字キーの右キー又は左キーを操作することによって、再生対象のファイルを切り替えること（順コマ送り／逆コマ送り）ができる。コマ送りされた位置の画像ファイルが記録メディア４８から読み出され、上記と同様にして静止画像や動画像が液晶モニタ２４に再生表示される。なお、デジタルカメラ１０は、電源回路８０を介して供給される電池８２の電力によって駆動される。以上がデジタルカメラ１０の全体構成である。
【００４７】
図４、５に第１実施形態に係るレンズ鏡筒２０を示す。図４は、繰り出し時（撮影時）のレンズ鏡筒２０の断面図であり、図５は、沈胴時のレンズ鏡筒２０の断面図である。
【００４８】
このレンズ鏡筒２０は、２段繰り出し、沈胴式のレンズ鏡筒であり、カメラケース１２（図４、５では図示省略）に覆われた固定筒９０と、固定筒９０の外周面に回転自在に嵌挿された駆動筒９２と、固定筒９０の内周面に嵌挿されて固定筒９０に対し回転しながら繰り出し、沈胴を行う第２移動筒（カム筒）９４と、駆動筒９２のカム溝９６に係合するカムフォロアーピン９８と、第２移動筒９４の内周面に嵌挿されて第２移動筒９４に対し回転しながら繰り出し、沈胴を行う第１移動筒１００と、第２移動筒９４のカム溝１０２に係合するカムフォロアーピン１０４と、第１レンズ枠１０６に保持された第１撮影レンズ１８ａ及び第２レンズ枠１０８に保持された第２撮影レンズ１８ｂと、第１撮影レンズ１８ａと第２撮影レンズ１８ｂとの間に設けられたシャッタ１１０と、固定レンズ枠１１２に保持された固定レンズ１８ｃと、固定筒９０と一体形成されてＣＣＤ５４を保持した板状の鏡筒本体（ベース）１１４とから構成されている。
【００４９】
また、固定筒９０と第２移動筒９４との間の隙間及び第２移動筒９４と第１移動筒１００との間の隙間から塵埃が侵入しないように、固定筒９０の端部及び第２移動筒９４の端部には布製の膜１１６が設置されている。
【００５０】
また、本第１実施形態のレンズ鏡筒２０においては、沈胴やズーム動作等における移動枠の摩擦によって発生する静電気による悪影響を防止するとともに、移動筒のスムーズで安定した移動を可能とするために、鏡筒本体１１４から固定筒９０の内部に向かって導電性のバネ部材１１８が設けられている。この導電性のバネ部材１１８は、垂直片１１８ａと水平片１１８ｂとから成り、一方の端部１１８ｃを介して鏡筒本体１１４から外部に接地されるようになっている。
【００５１】
また、図５に示すように、沈胴時には、第１移動筒１００及び第２移動筒９４が固定筒９０の中に収納される。このレンズ鏡筒２０が図５に示す沈胴状態から図４に示す繰り出し状態に移行するにあたっては、駆動筒９２が回転駆動されると、その回転力が第２移動筒（カム筒）９４に伝達されることにより第２移動筒９４が固定筒９０を残したまま回転しながら繰り出され、さらにそれと同時に、第２移動筒９４の中を第１移動筒１００が第２移動筒９４に対してさらに繰り出される。
【００５２】
またこれと同様に、図４に示す繰り出し状態から図５に示す沈胴状態に移行するにあたっては、駆動筒９２が逆方向に回転駆動されることにより、第２移動筒９４は回転しながら固定筒９０に対して沈胴し、同時に第１移動筒１００は第２移動筒９４に対して沈胴する。
【００５３】
沈胴時には、第２移動筒９４の鏡筒本体１１４側の端部に設けられた突起部９４ａが導電性のバネ部材１１８の垂直片１１８ａと接触するようになっている。突起部９４ａが垂直片１１８ａと接することで第１移動筒１００及び第２移動筒９４等に発生した静電気をバネ部材１１８の端部１１８ｃから接地側に逃がすことができる。これにより、静電気によって吸着された塵埃の撮像素子への写り込みや、電気部品の静電破壊等を防止することができる。
【００５４】
また、レンズ鏡筒２０が沈胴する際、バネ部材１１８の水平片１１８ｂが第１移動筒１００の内周壁に接触し、第１移動筒１００の内周壁を第１移動筒１００の移動方向に対して垂直方向（図５の上方向）に付勢するようになっている。これにより、沈胴時における第１移動筒１００（及び第２移動筒９４）の移動ムラ（いわゆる先走り）を防止することができる。
【００５５】
バネ部材１１８は、沈胴時に、その一部が第２移動筒９４の端部に設けられた突起部９４ａと接触して、レンズ鏡筒２０内に発生した静電気を接地側に逃がすとともに、バネ部材１１８の（前記と同一あるいは他の）一部が第１移動筒１００の内周壁に接触して沈胴時における第１移動筒１００の移動ムラを防止することができるものであればよく、その材質や形状は特に限定はされない。
【００５６】
例えば、図４あるいは図５において、バネ部材１１８の水平片１１８ｂの先端部の形状は、この水平片１１８ｂ先端部と第１移動筒１００の接触が点接触するような形状でもよいし、線接触あるいは面接触するような形状であってもよい。またこのとき第１移動筒１００内壁面の水平片１１８ｂ先端部との接点が移動する形状に合わせて溝を形成するようにしてもよい。これにより第１移動筒１００をスムーズにかつムラなく移動させることができる。
【００５７】
このように、第１実施形態によれば、レンズ鏡筒２０内で発生した静電気を逃がすことにより、静電気によって塵埃を吸着することを防ぐとともに電気部品の静電破壊を防止し、さらに沈胴時の移動筒の移動ムラ（先走り）を防止することができる。
【００５８】
次に、本発明の第２実施形態について説明する。
【００５９】
図６及び図７に第２実施形態に係るレンズ鏡筒１２０を示す。図６は、繰り出し時（撮影時）のレンズ鏡筒１２０の断面図であり、図７は、沈胴時のレンズ鏡筒１２０の断面図である。なお、本第２実施形態のレンズ鏡筒１２０が搭載されたデジタルカメラの外観図及び全体構成を示すブロック図は前述した第１実施形態と同様であるので省略する。
【００６０】
図６に示すように、第２実施形態のレンズ鏡筒１２０も、前述した第１実施形態と同様２段繰り出し、沈胴式のレンズ鏡筒であり、図示を省略したカメラケースに覆われた固定筒１９０と、固定筒１９０の外周面に回転自在に嵌挿された駆動筒１９２と、固定筒１９０の内周面に嵌挿されて固定筒１９０に対し回転しながら繰り出し、沈胴を行う第２移動筒（カム筒）１９４と、駆動筒１９２のカム溝１９６に係合するカムフォロアーピン１９８と、第２移動筒１９４の内周面に嵌挿されて第２移動筒１９４に対し回転しながら繰り出し、沈胴を行う第１移動筒２００と、第２移動筒１９４のカム溝２０２に係合するカムフォロアーピン２０４と、第１レンズ枠２０６に保持された第１撮影レンズ２１８ａ及び第２レンズ枠２０８に保持された第２撮影レンズ２１８ｂと、第１撮影レンズ２１８ａ及び第２レンズ枠２０８に保持された第２撮影レンズ２１８ｂと、第１撮影レンズ２１８ａと第２撮影レンズ２１８ｂとの関に設けられたシャッタ２１０と、固定レンズ枠２１２に保持れさた固定レンズ２１８ｃと、固定筒１９０と一体形成されてＣＣＤ１５４を保持した板状の鏡筒本体（ベース）２１４とから構成されている。
【００６１】
また、固定筒１９０と第２移動筒１９４との関の隙間及び第２移動筒１９４と第１移動筒２００との関の隙間から塵埃が侵入しないように、固定筒１９０の端部及び第２移動筒１９４の端部には布製の膜２１６が設置されている。
【００６２】
また、第２実施形態のレンズ鏡筒１２０においては、沈胴やズーム動作等における移動枠の摩擦によって発生する静電気による悪影響を防止するとともに、移動筒のスムーズで安定した移動を可能とするために、レンズ鏡筒１２０内に、シャッタ２１０と接地端とを接続するフレキシブル基板２２０を有している。
【００６３】
このフレキシブル基板２２０は、可動するレンズ枠に設けられ撮影にまつわる動作を行う動作部としてのシャッタ２１０等に対して制御信号を供給するものであり、フレキシブル基板２２０の少なくとも移動筒と接する面に導電材料が塗布され、導電面が鏡筒内面に接地するように構成されている。
【００６４】
具体的には、図６に示すように、フレキシブル基板２２０は、その一端をシャッタ２１０に連結し、第１移動筒２００、第２移動筒１９４、固定筒１９０の内壁に沿って配置され、レンズ鏡筒１２０外部の接地側に接続するようになっている。
【００６５】
また、このときそれぞれ第１移動筒２００及び第２移動筒１９４の、鏡筒本体１１４側の端部に設けられた突起部２００ａ及び突起部１９４ａが、それぞれフレキシブル基板２２０の一方の面に接触するようになっている。また、フレキシブル基板２２０は、その一部を、固定筒１９０に形成された溝部１９０ａに収納するようになっている。
【００６６】
図７にレンズ沈胴時を示すように、第１移動筒２００及び第２移動筒１９４は、突起部２００ａ、１９４ａがそれぞれフレキシブル基板２２０と接触したままの状態を保ちつつ、図６の繰り出し状態から沈胴状態まで移動する。また、逆に図７の沈胴状態から図６の繰り出し状態まで移動する場合も、第１移動筒２００及び第２移動筒１９４は、突起部２００ａ、１９４ａがそれぞれフレキシブル基板２２０と接触したままの状態を保ちつつ移動する。
【００６７】
このように、突起部２００ａ及び突起部１９４ａは常にフレキシブル基板２２０の一方の面に接触するように構成されている。突起部２００ａ及び突起部１９４ａは、常にフレキシブル基板２２０の一面と接触しているため、フレキシブル基板２２０との接触部分は丸みをもって形成されている。また特に、接触して動くことによる突起部２００ａ、１９４ａあるいはフレキシブル基板２２０の摩耗等による損傷を抑制するために、この突起部２００ａ、１９４ａ先端を回転可能な部材で形成して、フレキシブル基板２２０に回転しながら接触するように構成してもよい。
【００６８】
また、この突起部２００ａ及び突起部１９４ａが接触するフレキシブル基板２２０の面は導電性の面となっており、これにより移動筒の移動による摩擦で発生した静電気をこの突起部２００ａ、１９４ａからフレキシブル基板２２０を介して接地側に逃がすことができる。
【００６９】
その結果、静電気によって吸着された塵埃の撮像素子への写り込みや、電気部品の静電破壊等の静電気による悪影響を効果的に防止することができる。
【００７０】
以上、本発明のレンズ鏡筒及び撮像装置について詳細に説明したが、本発明は、以上の例には限定されず、本発明の要旨を逸脱しない範囲において、各種の改良や変形を行ってもよいのはもちろんである。
【図面の簡単な説明】
【００７１】
【図１】本発明に係るレンズ鏡筒が搭載されたデジタルカメラを正面から見た斜視図である。
【図２】図１のデジタルカメラを背面から見た斜視図である。
【図３】図１に示したデジタルカメラの全体構成を示すブロック図である。
【図４】本発明の第１実施形態のレンズ鏡筒の繰り出し時の状態を示す断面図である。
【図５】図４に示したレンズ鏡筒の沈胴時の状態を示す断面図である。
【図６】本発明の第２実施形態のレンズ鏡筒の繰り出し時の状態を示す断面図である。
【図７】図６に示したレンズ鏡筒の沈胴時の状態を示す断面図である。
【符号の説明】
【００７２】
１０…デジタルカメラ、１２…カメラケース、１４…グリップ部、１６…撮影ボタン、１８…撮影レンズ、２０…レンズ鏡筒、９０…固定筒、９２…駆動筒、９４…第２移動筒、９６…カム溝、９８…カムフォロアーピン、１００…第１移動筒、１０２…カム溝、１０４…カムフォロアーピン、１０６…第１レンズ枠、１０８…第２レンズ枠、１１０…シャッタ、１１２…固定レンズ枠、１１４…鏡筒本体（ベース）、１１８…バネ部材
【図１】
2007316232.tif 000003
【図２】
2007316232.tif 000004
【図３】
2007316232.tif 000005
【図４】
2007316232.tif 000006
【図５】
2007316232.tif 000007
【図６】
2007316232.tif 000008
【図７】
2007316232.tif 000009